(57)【要約】【課題】トレイ前進時にモータに加わる負荷を軽減する。【解決手段】記録又は再生装置は、ロック可能なシャッタ３が被さる嵌合板２１を前端部に設けた記録媒体２が、着脱可能に装着されるトレイ４と、トレイ４を前後移動可能に支持するとともに、前端部に記録媒体２の嵌合板２１が嵌まるコネクタ５を設けたシャーシ１を具えている。シャッタ３はシャーシ１上のコネクタ５に接して開く。記録媒体２のシャッタ３のロックを解除する機構は、トレイ４上に設けられている。【選択図】    図１
2005044389.tif 000002
【特許請求の範囲】
【請求項１】
ロック可能なシャッタ（３）が被さるコネクタ（５）又は嵌合板（２１）を前端部に設けた記録媒体（２）が、着脱可能に装着されるトレイ（４）と、トレイ（４）を前後移動可能に支持するとともに、前端部に記録媒体（２）のコネクタ（５）又は嵌合板（２１）が嵌まる嵌合板（２１）又はコネクタ（５）を設けたシャーシ（１）を具えた記録又は再生装置に於いて、
記録媒体（２）のシャッタ（３）のロックを解除する機構は、トレイ（４）上に設けられたことを特徴とする記録又は再生装置。
【請求項２】
シャッタ（３）はシャーシ（１）上の嵌合板（２１）又はコネクタ（５）に接して開く請求項１に記載の記録又は再生装置。
【請求項３】
シャッタ（３）は記録媒体（２）の側面に設けられたロック爪（２３）によりロックされ、シャッタ（３）のロックを解除する機構は、トレイ（４）の内側に設けられ、記録媒体（２）がトレイ（４）に装着された状態でロック爪（２３）を押し込む突起（４０）を含む請求項１又は２に記載の記録又は再生装置。
【発明の詳細な説明】
【０００１】
【発明の属する技術分野】
本発明は、前面にシャッタを具えた記録媒体が着脱される記録又は再生装置に関する。
【０００２】
【従来の技術】
従来から、前面にシャッタ（３）を設け、内部のディスク又は記憶素子を保護した記録媒体がある。図５は、その一例を示す斜視図である。記録媒体（２）はシェル（２０）の前面にシャッタ（３）を回転自在に設け、内部のディスク（２６）を保護している。シャッタ（３）内には係合突起（４０）が嵌まり、シャッタ（３）をロックしている。係合突起（４０）を押し込むと、シャッタ（３）のロックが解除され、シャッタ（３）が開く（例えば、特許文献１参照）。
また、斯種記録媒体（２）には、図６及び図７に示すものもある。これはシェル（２０）の前面に、中央部が開口（３０）したシャッタ（３）をガイド軸（３１）に沿って前後移動可能に設けており、該開口（３０）内に嵌合板（２１）が嵌まる。シェル（２０）内部には、ハードディスク（図示せず）が内蔵され、嵌合板（２１）には該ハードディスクに繋がる端子（２２）が設けられている。シャッタ（３）はバネ（図示せず）により前方に付勢され、この状態で嵌合板（２１）及び端子（２２）を覆う。
シェル（２０）の側面には、前後に延びた凹溝（２５）が形成され、シャッタ（３）は、凹溝（２５）内に設けられたロック爪（２３）により、不用意な後退を規制され、端子（２２）が露出するのを防ぐ。図７に示すように、ロック爪（２３）を内向きに押し込むと、ロックが解除され、シャッタ（３）が後退可能となる。シャッタ（３）を後方に押すと、端子（２２）が露出する。
ロック爪（２３）には種々の構成が考えられるが、例えば図８に示すように、ロック爪（２３）をシェル（２０）に枢支（２４）し、該枢支部（２４）にネジリバネを嵌める。ネジリバネによりロック爪（２３）の一端部をシャッタ（３）の後端に当て、他端部をシェル（２０）の側面から露出する。ロック爪（２３）の他端部を押し込むと、ロック爪（２３）の一端部とシャッタ（３）の当接が外れ、シャッタ（３）が後退できる。
【０００３】
図９は、かかる記録媒体（２）が着脱自在に挿入される装置の平面図である。以下の記載では、記録媒体（２）が装置内に向かって進行する方向を前方、記録媒体（２）が装置から排出される方向を後方とする。側板（１０）（１０）を立てたシャーシ（１）の内側には、記録媒体（２）が載置されるトレイ（４）が前後移動可能に設けられ、該シャーシ（１）の前端部には、嵌合板（２１）が嵌まるコネクタ片（７）が設けられている。トレイ（４）は前端部が上向きに折曲されて、記録媒体（２）のストッパ（４１）となっている。シャーシ（１）の外側にはモータ（Ｍ）が設けられ、トレイ（４）はシャーシ（１）の裏面に設けられてモータ（Ｍ）に連繋したギア列（図示せず）により駆動される。トレイ（４）からは軸（４２）が側方に突出し、該軸（４２）が側板（１０）の長孔（図示せず）に嵌まってシャーシ（１）上を前後移動する。
【０００４】
図１０は、コネクタ片（７）の正面図である。コネクタ片（７）は、嵌合板（２１）が嵌まる開口（５０）を形成したコネクタ（５）と、ロック爪（２３）を内向きに押す突起（４０）を設けた支持片（７０）を一体に設けている。コネクタ（５）内にて開口（５０）の周縁部には、嵌合板（２１）の端子（２２）に接する端子（５１）が設けられている。
突起（４０）の後端は、コネクタ（５）よりも後側に位置し、トレイ（４）の前進状態で、突起（４０）がロック爪（２３）を押してから、コネクタ（５）と嵌合板（２１）が嵌まる。
トレイ（４）に搬送されて記録媒体（２）が前進すると、先ず支持片（７０）の突起（４０）がロック爪（２３）を押して、ロックを解除し、シャッタ（３）が後退可能となる。そのまま、記録媒体（２）が前進すると、コネクタ（５）の開口（５０）周縁部によってシャッタ（３）が後向きに押され、嵌合板（２１）が露出する。嵌合板（２１）は、コネクタ（５）の開口（５０）に嵌まる。コネクタ（５）の端子（５１）と嵌合板（２１）の端子（２２）が接して通電し、記録媒体への信号の記録、又は記録媒体（２）からの信号の再生が可能となる。
トレイ（４）の前進完了状態で、トレイ（４）が支持片（７０）に当たると、嵌合板（２１）がコネクタ（５）に嵌まらない。従って、トレイ（４）の前端部両側には、支持片（７０）との当接を防ぐべく、切欠き（４３）が設けられている。
【０００５】
【特許文献１】
特開平１０−６４２１１号（第１図）
【０００６】
【発明が解決しようとする課題】
図９に示す装置にあっては、トレイ（４）の両側に切欠き（４３）を設けているから、トレイ（４）の強度が弱い。また、切欠き（４３）を設けていることにより、ストッパ（４１）の長さが短くなり、記録媒体（２）との係り代が短い、加えて軸（４２）の配置位置にも制限がある。更に、支持片（７０）をシャーシ（１）の前端部に設けているから、シャーシ（１）前端部の左右幅が大きくなる。
また、従来の装置にあっては、トレイ（４）がモータ（Ｍ）駆動されてから、シャッタ（３）のロックを解除し、更にシャッタ（３）を開く向きに押す。従って、モータ（Ｍ）に加わる負荷が大きくなっていた。
本発明の目的は、上記問題の解決にある。
【０００７】
【課題を解決する為の手段】
記録又は再生装置は、ロック可能なシャッタ（３）が被さるコネクタ（５）又は嵌合板（２１）を前端部に設けた記録媒体（２）が、着脱可能に装着されるトレイ（４）と、トレイ（４）を前後移動可能に支持するとともに、前端部に記録媒体（２）のコネクタ（５）又は嵌合板（２１）が嵌まる嵌合板（２１）又はコネクタ（５）を設けたシャーシ（１）を具えている。シャッタ（３）はシャーシ（１）上の嵌合板（２１）又はコネクタ（５）に接して開く。記録媒体（２）のシャッタ（３）のロックを解除する機構は、トレイ（４）上に設けられている。
シャッタ（３）は記録媒体（２）の側面に設けられたロック爪（２３）によりロックされ、シャッタ（３）のロックを解除する機構は、トレイ（４）の内側に設けられ、記録媒体（２）がトレイ（４）に装着された状態でロック爪（２３）を押し込む突起（４０）である。
【０００８】
【作用及び効果】
トレイ（４）に記録媒体（２）が装着されると、突起（４０）がロック爪（２３）を押し込み、シャッタ（３）のロックを外す。このまま、トレイ（４）を前進させると、シャッタ（３）はシャーシ（１）上の嵌合板（２１）又はコネクタ（５）に接して開く。
１．トレイ（４）に記録媒体（２）が装着されると、シャッタ（３）のロックが外れる。即ち、シャッタ（３）のロックを解除することによる負荷は、モータ（Ｍ）には加わらない。トレイ（４）の前進時に、モータ（Ｍ）に加わる負荷は、シャッタ（３）を開く負荷のみとなり、モータ（Ｍ）に加わる負荷が低減する。
２．記録媒体（２）のシャッタ（３）のロックを解除する機構が、トレイ（４）上に設けられていることにより、従来のように、シャーシ（１）上に支持片（７０）を設ける必要はない。これにより、トレイ（４）に切欠き（４３）を設ける必要がないから、トレイ（４）の強度を高めることができ、軸（４２）の配置にも余裕ができ、ストッパ（４１）の係り代を長く設けることができる。また、シャーシ（１）上に支持片（７０）を設ける必要はないから、シャーシ（１）前端部の左右幅を狭めることができ、装置の小型化が図れる。
【０００９】
【発明の実施の形態】
以下、本発明の一例を図を用いて詳述する。
図１は、本例に係わる装置の平面図である。装置に着脱自在に装着される記録媒体（２）は、図６に示す従来と同じものである。側板（１０）（１０）を立てたシャーシ（１）の内側には、記録媒体（２）が着脱自在に載置されるトレイ（４）が前後移動可能に設けられ、該シャーシ（１）の前端部には、嵌合板（２１）が嵌まるコネクタ（５）が設けられている。従来と異なり、コネクタ（５）には支持片（７０）は設けられていない。
トレイ（４）は前端部が上向きに折曲されて、記録媒体（２）のストッパ（４１）となっている。シャーシ（１）の外側にはモータ（Ｍ）が設けられ、トレイ（４）はシャーシ（１）の裏面に設けられてモータ（Ｍ）に連繋したギア列（図示せず）により駆動される。尚、モータ（Ｍ）からギア列を介して、トレイ（４）を前後移動させる機構は、以前出願人が特開２００３−９９７２４号にて開示しているので、詳細な記載を省く。
【００１０】
図２は、トレイ（４）の一部を示す斜視図である。トレイ（４）の内側には、記録媒体（２）のロック爪（２３）を内向きに押す突起（４０）が設けられている。トレイ（４）には記録媒体（２）を上から軽付勢して、記録媒体（２）の上下ガタを抑える板バネ（４８）、及び空のトレイ（４）が誤って前進することを防ぐ誤進入防止レバー（６）が設けられている。誤進入防止レバー（６）は、トレイ（４）の外側に昇降自在に設けられ、下端部に斜面（６０）を、上端部に当接片（６１）を夫々設けている。側板（１０）からは当接片（６１）に対向した接片（１１）が突出している。トレイ（４）に記録媒体（２）が挿入されると、記録媒体（２）の下面が斜面（６０）を下向きに押し、誤進入防止レバー（６）を下げる。当接片（６１）が接片（１１）の下方に位置し、トレイ（４）は前進できる。
仮に、空のトレイ（４）が誤って前進しても、誤進入防止レバー（６）は下がらないから、当接片（６１）が接片（１１）に当たる。空のトレイ（４）は前進を規制され、空のトレイ（４）はそれ以上前進しない。
【００１１】
（トレイに記録媒体を装着したとき）
使用者は、図１に示すように、トレイ（４）の後側から、記録媒体（２）を手で挿入する。突起（４０）はロック爪（２３）を押し、シャッタ（３）のロックは解除される。シャッタ（３）は後退可能な状態で、トレイ（４）に装着される。前記の如く、ロック爪（２３）は端部がシェル（２０）の側面から露出する向きに付勢されているから、突起（４０）がロック爪（２３）を押すと、使用者はクリック感を感じる。これにより、記録媒体（２）がトレイ（４）に装着されたことが使用者に判る。記録媒体（２）はストッパ（４１）により前進が規制される。
【００１２】
この状態で、モータ（Ｍ）に通電して、トレイ（４）を前進させる。図３は、記録媒体（２）の前進完了の直前状態を示す平面図であり、図４は、図３をＡ−Ａ線を含む面にて破断した断面図である。シャッタ（３）はコネクタ（５）の開口（５０）周縁部に対向しており、トレイ（４）が前進すると、シャッタ（３）が開口（５０）周縁部に押される。既に、シャッタ（３）のロックは解除されているから、シャッタ（３）は後退し、嵌合板（２１）が露出する。嵌合板（２１）がコネクタ（５）の開口（５０）に嵌まりつつ、嵌合板（２１）の端子（２２）と、コネクタ（５）の端子（５１）が接する。これにより、記録媒体（２）から信号を再生し、また記録媒体（２）に信号を記録することが可能となる。
装置から記録媒体（２）を排出するには、モータ（Ｍ）を逆転させて、トレイ（４）を後退させる。記録媒体（２）はトレイ（４）のストッパ（４１）に押されて、トレイ（４）とともに後退する。
【００１３】
１．本例にあっては、トレイ（４）に記録媒体（２）が装着されると、シャッタ（３）のロックが外れる。即ち、シャッタ（３）のロックを解除することによる負荷は、モータ（Ｍ）には加わらない。トレイ（４）の前進時に、モータ（Ｍ）に加わる負荷は、シャッタ（３）を開く負荷のみとなり、モータ（Ｍ）に加わる負荷が低減する。
２．記録媒体（２）のシャッタ（３）のロックを解除する機構が、トレイ（４）上に設けられていることにより、従来のように、シャーシ（１）上に支持片（７０）を設ける必要はない。これにより、トレイ（４）に切欠き（４３）を設ける必要がなく、トレイ（４）の強度を高めることができ、軸（４２）の配置にも余裕ができる。また、従来に比して、ストッパ（４１）の記録媒体（２）との係り代を長く設けることができる。また、シャーシ（１）上に支持片（７０）を設ける必要はないから、シャーシ（１）前端部の左右幅を狭めることができ、装置の小型化が図れる。
【００１４】
上記の記載では、シャーシ（１）上にコネクタ（５）を設け、記録媒体（２）に嵌合板（２１）を設けている。しかし、シャーシ（１）上に嵌合板（２１）を設け、記録媒体（２）にコネクタ（５）を設けてもよい。
【００１５】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】本例に係わる装置の平面図である。
【図２】トレイの一部を示す斜視図である。
【図３】記録媒体の前進完了の直前状態を示す平面図である。
【図４】図３をＡ−Ａ線を含む面にて破断した断面図である。
【図５】従来の記録媒体の一例を示す斜視図である。
【図６】従来の別の記録媒体を示す斜視図である。
【図７】図６の記録媒体のシャッタが開いた状態を示す斜視図である。
【図８】図６の記録媒体の内部構造の一例を示す平面図である。
【図９】従来の装置の平面図である。
【図１０】従来のコネクタ片の正面図である。
【符号の説明】
（１）    シャーシ
（２）    記録媒体
（３）    シャッタ
（４）    トレイ
（５）    コネクタ
（２１）    嵌合板
（２３）    ロック爪
【図１】
2005044389.tif 000003
【図２】
2005044389.tif 000004
【図３】
2005044389.tif 000005
【図４】
2005044389.tif 000006
【図５】
2005044389.tif 000007
【図６】
2005044389.tif 000008
【図７】
2005044389.tif 000009
【図８】
2005044389.tif 000010
【図９】
2005044389.tif 000011
【図１０】
2005044389.tif 000012